(57)【要約】【課題】複数の発光ダイオードの照射光を光ファイバー束の口径の小さな光入射口でも効率よく入射させることのできる光源装置を提供する。【解決手段】光ファイバー束と、この光ファイバー束の一端に設けられた光入射口の前方に配置される反射体と、複数の発光ダイオードとが備えられ、反射体には、前記光入射口に対向して、所定の傾斜角度で対向する円錐面状の反射面が備えられ、複数の発光ダイオードは、反射面の外周囲に放射状に配置され、発光ダイオードの照射光が、前記反射面を介して光ファイバの軸端の光入射口にほぼ垂直に入射するようにした。【選択図】  図５
2004286791.tif 000002
【特許請求の範囲】
【請求項１】
光ファイバー束と、この光ファイバー束の一端に設けられた光入射口の前方に配置される反射体と、複数の発光ダイオードとが備えられ、反射体には、前記光入射口に対向して、所定の傾斜角度で対向する円錐面状の反射面が備えられ、複数の発光ダイオードは、反射面の外周囲に放射状に配置され、発光ダイオードの照射光が、前記反射面を介して光ファイバの軸端の光入射口にほぼ垂直に入射するようにしていることを特徴とする光源装置。
【発明の詳細な説明】
【０００１】
【発明の属する技術分野】
本発明は、主として写真フイルムの画像を読み取って画像処理を施すための画像処理装置に搭載される光源装置に関する。
【０００２】
【従来の技術】
一般にフイルムの画像を読み取って画像処理を施す画像処理装置には、フィルムの画像を読み取るためのフィルム画像読取装置が搭載されており、このフィルム画像読取装置には、フィルムキャリアユニットと、このフィルムキャリアユニットにセットされたフィルムを照射するための光源装置と、フィルムを透過した光源装置からの光が入射するレンズユニットと、レンズユニットを通過した光を電気的信号に変換するＣｈａｒｇｅ  Ｃｏｕｐｌｅｄ  Ｄｅｖｉｃｅ  ユニット（以下、ＣＣＤユニットという）とが備えられている。
【０００３】
そして、以上のフィルム画像読取装置に搭載される光源装置には、光源としての発光ダイオードと、発光ダイオードの照射光をフィルムキャリアユニットに設けたスキャンゲートに導くための多数の光ファイバーを束ねた光ファイバー束とが備えられ、発光ダイオードをケーブルの光入射口近くに配置して、発光ダイオードの照射光を光ファイバー束を介してフィルムキャリアユニットにセットされたフィルムの画像に照射するようにしている。
【０００４】
尚、光ファイバー束は、光入射口側を円形に束ねてあり、光出射口では光ファイバーケーブルをライン状に並べている。（特許文献１参照）
【０００５】
【特許文献１】
特開２００１−２８６６７号
【０００６】
【発明が解決しようとする課題】
ところで、以上の光源装置において、光源として発光ダイオードを用いた場合にその光量を充分確保するためには、発光ダイオードの個数を増やす必要があるが、前述の特許文献に示されているように、多数の発光ダイオードを光ファイバー束の光入射口に対向するように配置して、発光ダイオードの光を光入射口に直接照射するようにした場合には、光入射口の口径から外方に外れて配置される発光ダイオードの照射光が、光ファイバー束の光入射口に対して斜め入射してしまって、効率が悪い。
【０００７】
即ち、光入射口への入射光の入射角度がそのまま光出射光の出射角度となる光ファイバーの特性により、光ファイバー束の光入射口に対して斜め入射した入射光は、光出射口から目的の照射方向とは異なる方向に出射して、効率のよい集光が出来ない。
【０００８】
また光入射口に対して２０度以上の角度で入射する光は、ファイバー端面で反射されてしまう不具合もある。
【０００９】
以上の不具合に対しては、光入射口の口径を大きくするなどの方法も考えられているが、いずれにしても効果的な光量アップが図れない。
【００１０】
本発明は以上の実情に鑑みて開発したものであって、本発明の目的とするところは、複数の発光ダイオードの照射光を光ファイバー束の口径の小さな光入射口でも効率よく入射させることのできる光源装置を提供することにある。
【００１１】
【課題を解決するための手段】
以上の目的を達成するために、本発明は、光ファイバー束と、この光ファイバー束の一端に設けられた光入射口の前方に配置される反射体と、複数の発光ダイオードとが備えられ、反射体には、前記光入射口に対向して、所定の傾斜角度で対向する円錐面状の反射面が備えられ、複数の発光ダイオードは、反射面の外周囲に放射状に配置され、発光ダイオードの照射光が、前記反射面を介して光ファイバの軸端の光入射口にほぼ垂直に入射するようにしたことを特徴とするものである。
【００１２】
【発明の実施の形態】
図１は、本発明にかかる光源装置５が搭載された画像処理装置１を概略的に示したものである。
【００１３】
この画像処理装置１は、フィルムＦに写された画像やＭＯなどの各種記録メディアに記録された画像を読み取るとともに、読み取った画像データに主として各種の画像処理を施すためのものであって、この画像処理装置１には、フィルムＦの画像を読み取るためのフィルム画像読取装置２と、ＭＯなどの各種記録メディアに記録された画像データを読み取るための記録メディア読取装置３と、画像処理ソフトウエア等がインストールされたコンピュータから成るコントローラ４と、コントローラ４に各種情報を入力するためのキーボード４１及びマウス４２と、各種情報を表示するためのモニター４３とが搭載されている。
【００１４】
以上の画像処理装置１は、フィルム画像読取装置２若しくは記録メディア読取装置３により画像を読み取ると共に、読み取った画像データを、所定の画像処理プログラムとキーボード４１またはマウス４２により入力されるプリントサイズなどの各種情報に基づいて、コントローラ４により適宜処理した後、順次プリントデータとしてプリンター（図示せず）側に出力するようにしている。
【００１５】
フィルム画像読取装置２は、図２にも示すように、フィルムキャリアユニット２１と、このフィルムキャリアユニット２１にセットされたフィルムＦを光で照射するための本発明にかかる光源装置５と、フィルムＦを透過した光源装置５からの光が入射するレンズユニット２２と、レンズユニット２２を通過した光を電気的信号に変換するＣＣＤユニット２３とが備えられている。
【００１６】
尚、フィルムキャリアユニット２１には、フィルムＦを搬送するための搬送ローラ対２４が複数設けられており、以上のフィルムキャリアユニット２１が搭載されたフィルム画像読取装置２にあっては、フィルムＦを搬送ローラ対２４を介して搬送経路に沿って一定速度で搬送しながら、後記する光源装置５によりフィルムＦの画像を照射して、画像データを順次取得するようにしている。
【００１７】
次に本発明にかかる光源装置５を詳説する。
【００１８】
この光源装置５は、基本的には、光ファイバー束６と、この光ファイバー束６における光入射口６１の前方に配置される反射体７と、複数の発光ダイオード８とから構成されている。
【００１９】
光ファイバー束６は、図３にも示すように、約５０μｍ径のガラス製光ファイバー６０を多数束ねて形成されたものであり、その長さ方向一端に発光ダイオード８の照射光が入射される光入射口６１が設けられ、長さ方向他端には、光を出射する光出射口６２が設けられているのであって、光入射口６１は、円形状になるように光ファイバー６０が束ねられ、その中心には円柱状の芯材６３が介装されている。
【００２０】
また光ファイバー束６の光出射口６２の形状は、フィルムキャリアユニット２１に設けられたライン状のスキャンゲート２５の形状に対応する線状となるように光ファイバー６０が束ねられている。
【００２１】
そして、光ファイバー束６の光入射口６１側には、円筒状の保持筒６４が組付けられ、光出射口６２側には、矩形の保持枠６５が組付けられ、光ファイバー束６の長さ方向中間部には、光ファイバー６０を束ねる結束バンド６６が取り付けられている。
【００２２】
反射体７は、図５にも示すように、円錐台状の反射部７１と、この反射部７１の上端に立設した円筒状の固定筒部７２とから構成され、固定筒部７２に挿通した固定ボルト７３のねじ軸部を、芯材６３に形成したねじ孔６３ａに螺締することで、反射体７を光ファイバー束６の光出射口６１に固定ボルト７３を介して組みつけられるのであって、反射部７１の外周面には、光ファイバ束６の軸線に対して４５度傾斜する円錐状の鏡面仕上げされた反射面７０が設けられている。
【００２３】
また発光ダイオード８は、ホルダ８０に組み付けられているのであって、具体的には、円板状の基板８１の外周に円筒状のホルダ筒部８２が立設されたホルダ８０を別途形成して、このホルダ８０のホルダ筒部８２に２０個の発光ダイオード８を、その発光部位が内方を向いた状態で周方向に等間隔で取り付けている。
【００２４】
そして、ボルト８４を、基板８１の中心に形成されたボルト挿通孔８３に挿通して、その挿通端部を固定ボルト７３の頭部に形成したねじ孔７３ａに螺締することで、ホルダ８０を介して複数の発光ダイオード８を反射面７０の外周囲に放射状に配置し、各発光ダイオー８の照射光が、反射面７０を介して光ファイバー束６の光入射口６１に対してほぼ垂直に入射するようにしている。
【００２５】
以上の光源装置５は、発光ダイオード８の点灯に伴い、何れの発光ダイオード８の照射光も反射体７の反射面７０で反射されて、その反射光が光ファイバー束６の光入射口６１に対してほぼ垂直に入射するのである。
【００２６】
従って、以上の光源装置５では、２０個の何れの発光ダイオード８の照射光をも光ファイバー束６の光入射口６１に効率よく入射させることが出来、光ファイバーの特性により、光ファイバー束６の光入射口６１に入射した入射光は、光出射口６２からほぼ垂直に出射して、スキャンゲートを介してフィルムキャリアユニット２１にセットされたフィルムＦに効率良く照射することが出来るのであって、結果として、実質的に充分な光量を効率よく確保できながら、発光ダイオード８の使用個数を少なく出来るのである。
【００２７】
また以上の光源装置５は、反射体７が光ファイバー束６の光入射口６１にボルト止めされ、且つ発光ダイオード８が反射体７にホルダ８０を介してボルト止めされて、光ファイバー束６と反射体７と発光ダイオード８がユニット化されているので、光入射口６１に対する反射体７及び発光ダイオード８のセット位置が不用意に狂うようなことがないし、また光ファイバー束６に対する反射体７及び発光ダイオード８のセット作業も簡単且つ容易に行なえるのである。
【００２８】
以上の実施形態では、反射体７を光ファイバー束６に固定したが、これに限定されるものではなく、例えば、各発光ダイオード８の発光性能のばらつきや、発光ダイオード８や反射体７の取り付け精度の誤差により発生する照度ムラを解消するために、図７に概略的に示すように、反射体７をモーター９を介して回転させるようにしてもよい。
【００２９】
この場合、反射体７の反射面７０を多面体にするか、あるいは反射面７０にディンプルや突起や縦方向に延びる多数の凸状あるいは凹溝などを設けて、光を乱反射させるのが好ましく、モーター９の駆動による回転体７の高速回転により、発光ダイオード８の光を光ファイバー束６の光入射口６１にむらなく均等に照射することが出来て、照度ムラが軽減する。
【００３０】
尚、反射体７の回転速度は、フィルム画像読取装置２による１ラインの画像の蓄積時間内とするのが好ましい。
【００３１】
また反射面７０は、発光ダイオード８の照射光を光入射口６１内にできる限り収束させるために、図５にも示すように、僅かに凹む湾曲面状とするのが好ましい。
【００３２】
【発明の効果】
以上説明したように、本発明によれば、光ファイバー束と、この光ファイバー束の一端に設けられた光入射口の前方に配置される反射体と、複数の発光ダイオードとが備えられ、反射体には、前記光入射口に対向して、所定の傾斜角度で対向する円錐面状の反射面が備えられ、複数の発光ダイオードは、反射面の外周囲に放射状に配置され、発光ダイオードの照射光が、前記反射面を介して光ファイバの軸端の光入射口にほぼ垂直に入射するようにしたことにより、複数の発光ダイオードのいずれの照射光をも光ファイバー束の口径の小さな光入射口に効率よく入射させて、実質的に充分な光量を効率よく確保でき、結果として、発光ダイオードの使用個数を少なく出来て、装置の小型化が図れる。
【図面の簡単な説明】
【図１】本発明にかかる光源装置が搭載された画像処理装置の説明図。
【図２】フィルム画像読取装置の概略説明図。
【図３】光源装置を構成する光ファイバー束の概略斜視図。
【図４】光ファイバー束における光入射口の概略説明図。
【図５】光源装置の要部の断面図。
【図６】光源装置の要部の説明図。
【図７】光源装置の別の実施形態を示す要部の断面図。
【符号の説明】
１      画像処理装置
２      フィルム画像読取装置
５      光源装置
６      光ファイバー束
６１    光入射口
６２    光照射口
７      反射体
７０    反射面
８      発光ダイオード
【図１】
2004286791.tif 000003
【図２】
2004286791.tif 000004
【図３】
2004286791.tif 000005
【図４】
2004286791.tif 000006
【図５】
2004286791.tif 000007
【図６】
2004286791.tif 000008
【図７】
2004286791.tif 000009